(57)【特許請求の範囲】
【請求項１】
ノイズと撥ねかけを最小限に抑えた小ペット用の連続流式水遣り器であって、
ペットが水を飲めるように少なくとも一部の頂部が開いた、水を入れる下部容器と、
下部容器の上方に位置する、水を入れる上部貯溜手段と、
下部容器から水を吸込む吸込み口及び水を貯溜手段へ吐出す吐出し口を有するポンプと、
水が上部貯溜手段から下部容器へ移動する際、水の流れを支える滑らかで湾曲した傾斜水路と、
ノイズと撥ねかけを減らすために上部貯溜手段からの水を厚く滑らかな流れにする湾曲したリップ、及び水の流れが湾曲した傾斜水路の中央部分に来るようにして流れを常に傾斜水路に閉じ込めることにより、水が傾斜水路を下降する間撥ねかけとノイズが発生しないようにする湾曲した断面領域を有する、上部貯溜手段に固着した棚部とより成る連続流式水遣り器。
【請求項２】
下部容器はペットが水を飲めるように少なくとも一部の頂部が開いた前部容器と、ポンプが内部に配置される後部容器とより成り、ポンプは、ノイズを減少させるために全ての吸込み口が水中に没した水中ポンプである請求項１の連続流式水遣り器。
【請求項３】
ポンプはさらに、ポンプを流れる水の流量を変化させる流れ調整器を有する請求項２の連続流式水遣り器。
【請求項４】
上部貯溜手段はさらに、ポンプから水を受取る吸込みチェンバを有する請求項１の連続流式水遣り器。
【請求項５】
ポンプの吐出し口を吸込みチェンバと接続して、吸い込みチェンバ内の撥ねかけを減少させる揚水管が設けられている請求項４の連続流式水遣り器。
【請求項６】
上部貯溜手段は、水の流れから破片を取り除くフィルタを有する請求項１の連続流式水遣り器。
【請求項７】
フィルタは、ポリエステルの被覆で囲まれたチャコール系フィルタである請求項６の連続流式水遣り器。
【請求項８】
上部貯溜手段は、オーバーフローを防止するために上部貯溜手段からの過剰な水を下部容器へ差し向けるオーバーフロー排出手段を有する請求項１の連続流式水遣り器。
【請求項９】
下部容器はさらに、連続流式水遣り器を運ぶための一対の取っ手を有する請求項１の連続流式水遣り器。
【請求項１０】
ノイズと撥ねかけを最小限に抑えた小ペット用の連続流式水遣り器であって、
ペットが水を飲めるように少なくとも一部の頂部が開いた、水を入れる下部容器と、
下部容器の上方に位置する、水を入れる上部貯溜手段と、
下部容器から水を吸込む吸込み口及び水を貯溜手段へ吐出す吐出し口を有するポンプと、
水が上部貯溜手段から下部容器へ移動する際、水の流れを支える滑らかで湾曲した傾斜水路と、
ノイズと撥ねかけを減らすために上部貯溜手段からの水を厚く滑らかな流れにする湾曲したリップ、及び水の流れが湾曲した傾斜水路の中央部分に来るようにして流れを常に傾斜水路に閉じ込め、水が傾斜水路を下降する間撥ねかけとノイズが発生しないようにする湾曲した断面領域を有する、上部貯溜手段に固着した棚部と、
開位置と、閉位置とを有する弁を備え、水遣り器に装着されていない時は弁が閉位置にあるため持運ぶ間でも水が漏れず、水遣り器に装着された状態では弁が開位置に移動するため、蒸発や飲用により水が少なくなると下部容器に水を連続して補給して下部容器の最低水位を維持する、取外し及び持運び可能な水貯溜手段とより成る連続流式水遣り器。
【請求項１１】
取外し及び持運び可能な貯溜手段は半透明であり、貯溜手段を取外さずに水位を観察できる請求項１０の連続流式水遣り器。
【請求項１２】
取外し及び持運び可能な貯溜手段は少なくとも１つの平らな側を有し、貯溜手段を直立した姿勢で収納可能にする請求項１０の連続流式水遣り器。
【請求項１３】
取外し及び持運び可能な貯溜手段は少なくとも１つの取っ手を備えており、貯溜手段を容器から容易に取外し、持運ぶことができる請求項１０の連続流式水遣り器。
【請求項１４】
上部貯溜手段は、水の流れから破片を取り除くフィルタを有する請求項１０の連続流式水遣り器。
【請求項１５】
フィルタは、ポリエステルの被覆で囲まれたチャコール系フィルタである請求項１４の連続流式水遣り器。
【請求項１６】
上部貯溜手段は、オーバーフローを防止するために上部貯溜手段からの過剰な水を下部容器へ差し向けるオーバーフロー排出手段を有する請求項１０の連続流式水遣り器。
【請求項１７】
下部容器はペットが水を飲めるように少なくとも一部の頂部が開いた前部容器と、ポンプが内部に配置される後部容器とより成り、ポンプは、ノイズを減少させるために全ての吸込み口が水中に没した水中ポンプである請求項１０の連続流式水遣り器。
【請求項１８】
ポンプはさらに、ポンプを流れる水の流量を変化させる流れ調整器を有する請求項１７の連続流式水遣り器。
【請求項１９】
下部容器はさらに、連続流式水遣り器を運ぶための一対の取っ手を有する請求項１０の連続流式水遣り器。
【請求項２０】
ノイズと撥ねかけを最小限に抑えた小ペット用の連続流式水遣り器であって、
ペットが水を飲めるように少なくとも一部の頂部が開いた、水を入れる容器と、
容器から水を揚水する揚水管と、
容器の水中に没するように設けられ、ノイズをなくし容器から揚水管へ水を吸込むポンプと、
水が揚水管から容器へ移動する際、水の流れを支える滑らかで湾曲した傾斜水路と、
ノイズと撥ねかけを減らすために揚水管からの水を厚く滑らかな流れにする湾曲したリップ、及び水の流れが湾曲した傾斜水路に来るようにして、水が傾斜水路を降下する間撥ねかけとノイズが発生しないようにする湾曲した断面領域を有する、揚水管に固着した棚部とより成る連続流式水遣り器。
【請求項２１】
容器はペットが水を飲めるように少なくとも一部の頂部が開いた前部容器と、ポンプが内部に配置される後部容器とより成り、ポンプは、ノイズを減少させるために吸込み口が水中に没した水中ポンプである請求項２０の連続流式水遣り器。
【請求項２２】
ポンプはさらに、ポンプを流れる水の流量を変化させる流れ調整器を有する請求項２１の連続流式水遣り器。
【請求項２３】
水を入れる上部貯溜手段が設けられており、揚水管が水を上部貯溜手段へ運ぶ請求項２０の連続流式水遣り器。
【請求項２４】
上部貯溜手段は、水の流れから破片を取り除くフィルタを有する請求項２３の連続流式水遣り器。
【請求項２５】
フィルタは、ポリエステルの被覆で囲まれたチャコール系フィルタである請求項２４の連続流式水遣り器。
【請求項２６】
上部貯溜手段は、オーバーフローを防止するために上部貯溜手段からの過剰な水を容器へ差し向けるオーバーフロー排出手段を有する請求項２３の連続流式水遣り器。
【請求項２７】
容器はさらに、連続流式水遣り器を運ぶための一対の取っ手を有する請求項２０の連続流式水遣り器。
【請求項２８】
傾斜水路は撥ねかけを減少させるために湾曲している請求項２０の連続流式水遣り器。
【請求項２９】
開位置と、閉位置とを有する弁を備え、水遣り器に装着されていない時は弁が閉位置にあるため持運ぶ間でも水が漏れず、水遣り器に装着された状態では弁が開位置に移動するため、蒸発や飲用により水が少なくなると容器に水を連続して補給して容器の最低水位を維持する、取外し及び持運び可能な水貯溜手段が容器に装着されている請求項２０の連続流式水遣り器。
【請求項３０】
ノイズと撥ねかけを最小限に抑えた小ペット用の連続流式水遣り器であって、
前部容器と、前部容器に隣接する後部容器とより成り、前部容器はペットが水を飲めるように少なくとも一部の頂部が開いている容器と、
後部容器から水を揚水する揚水管と、
後部容器の水中に没するように設けられ、ノイズをなくし後部容器から揚水管へ水を吸込むポンプと、
水が揚水管から前部容器へ移動する際、水の流れを支える滑らかで湾曲した傾斜水路と、
水が揚水管から傾斜水路へ流れて傾斜水路を降下する間撥ねかけとノイズが発生しないように揚水管を湾曲した傾斜水路に接続する棚部とより成る連続流式水遣り器。
【請求項３１】
ノイズと撥ねかけを最小限に抑えた小ペット用の連続流式水遣り器であって、
前部容器と、前部容器に隣接する後部容器とより成り、前部容器はペットが水を飲めるように少なくとも一部の頂部が開いている容器と、
後部容器から水を揚水する揚水管と、
静かな動作を維持するために完全に水中に没した、後部容器内の水を揚水管を介して揚水する水中ポンプと、
水が揚水管から前部容器へ移動する際、水の流れを支える滑らかで湾曲した傾斜水路と、
水が揚水管から傾斜水路へ流れて傾斜水路を降下する間撥ねかけとノイズが発生しないように揚水管を湾曲した傾斜水路に接続する棚部と、
ペットの飲用によるか蒸発によって水が失われる場合、一定量の水を維持して水中ポンプが水中に没するように容器に水を自動的に補給する、水を入れた貯溜手段とより成る連続流式水遣り器。
【発明の詳細な説明】
【０００１】
【発明の背景】
【０００２】
【発明の分野】
本発明は、ペットの水遣り器に関し、さらに詳細には、水が連続して流れるように水を循環させるペット用連続流式水遣り器に関する。
【０００３】
【関連技術の説明】
流れる水により小さなペットを引き寄せる動物用水遣り器は、当該技術分野でよく知られている。しかしながら、これらの水遣り器には、望ましくないノイズや撥ねかけが発生するという欠点があり、ペットの飼い主にとって悩み事である。望ましくないノイズはペットに警戒心を煽るため、ペットは水遣り器に近付くのをためらうことがある。
【０００４】
さらに、従来の水遣り器は、蒸発や飲用により失われた水を自動的且つ手軽に、またこぼれが生じないやり方で補給することができない。これらの水遣り器の水の補給は、水のある所まで移動させるか、またはカップまたはジャーのような第２の容器を用いて行う。これは、ペットの飼い主にとって煩わしい。また、最低水位を維持すべく水遣り器を自動的に補給する手段が存在しないため、水位を頻繁に監視しなければならない。水を連続して補給する二次的な貯溜手段を備えた水遣り器もあるが、瓶を逆さまにして水遣り器に連結しなければならないため、二次的容器から移し変える時こぼれが生じるのが避けられない。
【０００５】
【発明の概要】
本発明の連続流式水遣り器は、ノイズと撥ねかけを最小限に抑えるようにした特異な構造及び動作を有する。水遣り器は水を入れた下部容器を有し、ペットはこの容器から水を飲むことができる。下部容器には、この下部容器から、濾過装置を備えた上部貯溜手段へ水を循環させる水中ポンプが設けられている。このポンプは、吸込み口が水中に完全に没した状態で下部容器内にあり、そのためポンプの動作に付随するノイズが軽減される。フィルタは、水に同伴する猫の毛、ゴミなどのような破片を取り除く。水は上部貯溜手段から棚部上へ流れ、この棚部により水流が湾曲した傾斜水路を連続して流れるようになる。棚部は、下部容器に到達するまで水が傾斜水路の中心部分を静かに且つ層状に流れるように構成されている。
【０００６】
本発明の別の実施例によると、取外し且つ持運び可能な貯溜手段が、蒸発または飲用により水がなくなると下部容器の最低水位を維持するように連続的に補給を行うためのオプションとして設けられる。この貯溜手段は、連続流式水遣り器に装着すると自動的に開き、水が所定水位以下になると重力により水が下部容器へ供給されるようにする弁を備えている。貯溜手段が空になると、補給のために、この手段を水遣り器から取外して水のある所まで運ぶ。水を充填すると、水の重さにより弁が押圧されて閉じるため、水が貯溜手段から漏れることがない。貯溜手段を補給用の水のある所から水遣り器まで運ぶが、こぼれが発生することはない。貯溜手段は、好ましくは半透明または透明であるため、ユーザーは水遣り器を分解せずに水位を確かめることができる。
【０００７】
本発明の別の特徴として、この水遣り器は、動物が水を飲む時にも水中ポンプが水中に必ず隠れた状態になるため、実質的にノイズのない動作をするよう構成されている。持運び可能な貯溜手段から下部容器への水の流量は、水が持運び可能な貯溜手段から重力により下部容器へ補給されると、下部容器の水位が水中ポンプの吸込み口のレベルより上に維持されるように選定されている。この特徴により、水が下部容器に撥ねかけのないように供給されるか否かとは無関係に、ポンプの静かな動作が維持される。
【０００８】
別の実施例によると、水は下部容器に貯溜され、水中ポンプにより揚水管を介して棚部へ直接運ばれる。水は揚水管から棚部上へ排出され、棚部から湾曲した傾斜水路を下部容器の方へ流れる。
【０００９】
この水遣り器は、ペットと飼い主の双方にとって望ましい多数の利点を有する。水が連続して流れるため、水の循環が容器内のバクテリアの繁殖を減少させる衛生的な飲水環境が実現される。さらに、水の摂取が不十分なペットに多発する尿管感染の危険を減少させる栄養学的な側面もある。小さな動物、特に猫には、水の流れに引き寄せられる傾向が観察されており、このため、ボウルへ水が流れ込むようにすると、ペットが引き寄せられて水を頻繁に飲むようになる。従って、水をより頻繁に飲むようになるため、尿管感染の危険が減少する。さらに、ペットは水の流れに引き寄せられるため、台所、トイレ、風呂場等で水を飲む傾向が減少する。
【００１０】
【好ましい実施例の説明】
図１及び２を参照して、連続流式水遣り器１８は、下部容器２０、水中ポンプ５６、水処理装置４２及び取外し可能な貯溜手段６２より成る。下部容器２０、ポンプ５６、水処理装置４２及び貯溜手段６２は、ノイズと撥ねかけを最小限に抑えながら水を連続して圧送、濾過及び循環させるようにしてペットを引き寄せる、小さなペット用の自動水遣り器１８を構成する。この水遣り器は、下部容器２０から所定の高さへ水を圧送し、この高さからランプまたは傾斜水路２４上に水を排出して、下部容器２０へ循環させる。水の移動により、流水が発生する乱流がバクテリアやカビの発生を減少させるため、ペットが飲むための新鮮な水の供給が維持される。
【００１１】
図３及び４を参照して、下部容器２０は、前部容器２２、後部容器３２及びランプ２４より成る。前部容器２２はほぼ円形であり、水を保持するための側壁２６を有する。この容器２２はペット用の伝統的な水容器に似ているため、ペットはこの容器を容易に認識して水を飲むことができる。前部容器２２の内部の湾曲したランプ２４は、図３に最もよく示されるように、容器２２の前部から後部へ上方に傾斜している。ランプ２４は、水がランプ２４の最上方部分から流れて容器２２へ流れ込むまで水を支えるように設計されている。ランプ２４の表面は、水が滑り降りる際の撥ねかけや乱流を減少させるように滑らかな仕上げになっている。ランプ２４の頂部にある棚部２８は、所定の半径を有する半円形チャンネルであり、そこから水がランプ２４の方へ流れる。棚部２８上のリップ３０は、水が棚部２８からランプ２４へ移行する際滑らかな流れとなるように丸みを帯びた端縁部を有する。棚部２８と、リップ３０とは、協働して、水の流れをランプ２４へ差し向け、集中させることにより、ランプ２４の中心において、滑らかで、厚く、撥ねかけのない流れが形成されるようにする。本発明の一実施例によると、ランプ２４は、水がリップ３０から下部容器２０へ流れる際に発生する撥ねかけを最小限に抑えるように、放物面を有する。ランプ２４は、直線状、円形または、水がリップ３０から容器２２へ流れる際水を支えることができる他の任意の形状でよい。ランプ２４の上の水の流れは、ペットを水遣り器の方へ引き寄せるように作用するだけでなく、容器２２内の水の表面張力に乱れを与えて、バクテリアやカビが発生しないようにする。
【００１２】
図４を参照して、後部容器３２は新月状であり、前部容器２２に隣接して固定されるため、水は両容器間を自由に流れることができる。支持ブラケット３６により定位置に保持されるポンプ５６（図２を参照）は、インペラ付き電気モータ、吸込み口５８及び吐出し口６０を有する標準型水中ポンプである。ポンプ５６は、ポンプの流量を増減するための流れ調整器（図示せず）を配置して、毎時約１５乃至４０ガロンの範囲で流量を変化できるようにする。ポンプ５６は、家庭用交流電源またはバッテリーの何れかにより給電可能である。電力は、後部容器のコード用開口３８を延びる電気コード（図示せず）によりポンプ５６へ供給される。容器３２は吸込み口５８が完全に水中に没するように水中ポンプ５６を覆うに十分な量の水を保持する。この構成によると、ポンプの動作により生じるノイズが最小限に抑えられる。
【００１３】
図１−３を再び参照して、後部容器３２の下方の、下部容器２０上には一対の持運び用取っ手４０が形成されている。１つの取っ手４０だけを示すが、第２の取っ手４０は反対側の鏡像位置にある。
【００１４】
図５を及び６を参照して、水処理装置４２は、水が下部容器２０から圧送される際、水を濾過して清浄にするために使用する。水は、下部容器２０から揚水管４４を経て給水チェンバ４６へ圧送される（図６に最もよく示される）。揚水管５４の開口の直径は、水が給水チェンバ４６に入る際、乱流を減少させ、撥ねかけをなくすように適当なサイズに選定する。水が給水チェンバ４６に入ると、等量の水がチャンネル４７を介して上部貯溜手段４８へ運ばれ、濾過される。貯溜手段４８の動作水位よりわずかに高い所にあるオーバーフロー排水口５２は、貯溜手段４８のオーバーフローを阻止するように設計されている。オーバーフロー排出口５２は、貯溜手段４８から後部容器３２へ流すことにより、水が最終的に水処理装置４２へ再循環させるようにする。
【００１５】
フィルタ５０（図５）は、動作中の水遣り器からの埃、ゴミ、髪の毛または同伴される任意の他の破片を取り除く。フィルタ５０は、最も好ましくは、ポリエステルの被覆を有する取外し可能なカーボン系フィルタであり、上部貯溜手段４８上に対角線状に取り付けられて、貯溜手段の高さ全体にわたって延びる。粒状物は、水がチャンネル４７から棚部２８の方へ流れる際、濾過される。濾過済みの水は、湾曲した棚部４８からランプ２４へ流入し、前部容器２２の方へ滑り落ちる。
【００１６】
水処理装置４２は、後部容器３２上に固着されるため、揚水管４４はポンプの吐出し口６０と整列関係にある。水処理装置４２は、飼い主がこの装置を清浄しまたは収納したい場合、工具を用いずに後部容器３２から取外すことができる。水処理装置４２を取り付ける際、その底面の案内ステム（図示せず）を案内口３１に挿入して下部容器２０と整列させる。さらに、係止部材４３、４３’、４３”（図示せず）を整列口３３、３３’、３３”（図４）と整列させ、ゆっくりと押し込んで、水処理装置４２が下部容器上に固定されるようにする。水処理装置４２を取外すには、反対方向に小さな力を加えて、装置を後部容器３２から引き離す。
【００１７】
図７及び８に示すように、貯溜手段６２は、下部容器２０へ常に水が供給されるようにして、飼い主が水遣り器へ水を補給しなければならない回数を減らすものである。加えて、貯溜手段６２は、容器２０内に最低水位が維持されるのを手助けするため、吸込み口５６は常に水中に没した状態にある。これは、事実上ノイズのない動作を維持するのに役立つ。
【００１８】
貯溜手段６２は、水を補給するための開口７０を有する。貯溜手段６２を補給する際、弁組立体６３を開口７０に挿入して、貯溜手段からの水の流量を調整する。図２に最もよく示されるように、弁組立体６３は、カバー６４、ステム６６及びキャップ６８より成り、これら全ては協働して、下部容器２０への流量を調整する。図９及び１０を参照して、キャップ６８は、弁組立体を貯溜手段６２上の螺設部８２に容易に固着できるようにする内側螺設部７８を有する。カバー６４の底側に固着されたステム６６は、開口８０に挿入される（図１０）。開口８０の直径は、ステムの直径よりわずかに大きいため、ステムは開口８２に関して摺動できる。弁組立体６３を装着すると、貯溜手段６２に蓄えられた水の重さがカバー６４を環状リッジ８４上に位置決めするため、十分な密封が得られて、開口８６からの水のもれが阻止される。従って、貯溜手段６２を補給場所から水遣り場所へ運ぶ際、漏れが起こることはない。
【００１９】
貯溜手段６２は、充填した後、後部容器３２の上の、水処理装置４２に隣接する位置に配置する。カバー６４と、貯溜手段６２から下方に延びるステム６６とは、バンプ３４（図４を参照）により上方に移動するため、水が開口８５を流れることができる。下部容器２０の水位が飲用や蒸発のため最低水位以下に低下すると、水が重力により容器２０に供給されて、補給が行われる。ポンプ５６は動作時に常に水中に没した状態にあるため、撥ねかけなしに下部容器へ水が供給されるか否かに無関係に、この構成は、実質的にノイズのない動作を実現する。貯溜手段６２が空になると、飼い主は、取っ手７３を掴んで貯溜手段を水遣り器１８から取外し、弁組立体６３を取外して、補給を行い、連続使用できるようにする。貯溜手段６２は、飼い主が水遣り器を補給または収納する際、平坦な表面上に置けるように平らな表面を有する。
【００２０】
オプションとして、制御スイッチ（図示せず）を設けて、水位が所定の高さ以下に低下した場合ポンプ５６を自動的に停止させることができる。
【００２１】
図１１は蓋７４を示す。蓋７４は、貯溜手段６２と、水処理装置４２の上方に配置し、ペットが上部貯溜手段から水を飲むのを防止し、水遣り器１８の全体的な見栄えの良さを増加させる。
【００２２】
本発明の動作及び使用時には、ポンプ５６を、後部容器３２内に配置し、下部容器２０に、ポンプの吸込み口５８が水中に没するような量の水を充填する。電気コード（図示せず）は、ポンプ５６へ電気を供給するために、スロット３８に配置する。次いで、水処理装置４２を後部容器３２上に配置して、ポンプ５６と連結する。貯溜手段６２を遠隔の水のある所で補給し、弁組立体６３を開口７０に装着すると、弁が閉じて、遠隔の水のある所からの持運びの際、また後部容器３２上の定位置への配置の際、水が漏れることがない。貯溜手段６２を取り付けると、バンプ３４がステム６６を押し上げ、下部容器２０の水位がポンプの吸込み口５８を覆うに不十分なレベル以下であれば、重力により容器２０へ水が供給される。電気コード（図示せず）を従来の電気差し込み口（図示せず）に差し込んで、水中ポンプ５６へ電気が供給されるようにする。
【００２３】
動作について説明すると、ポンプ５６は、下部容器３２から揚水管４４を介して吸込みチェンバ４６へ水を圧送する。水は上部貯溜手段４８に流入し、そこで破片が水から分離され、新鮮な再循環水が得られる。濾過済みの水は上部貯溜手段の出口４９の方へ移動し、そこから湾曲した棚部２８上で細い流れとなり、棚部３０からランプ２４へ流れる際、厚い、滑らかな流れとなる。流れる水は、水の滞溜を防止して、長期間新鮮な水の供給を維持するに十分な循環を可能にする。その後、水は、このシステムを、ポンプ５６により再循環されるが、このプロセスはポンプ５６の作動が停止されるまで繰り返される。
【００２４】
本発明は、所望に応じてフィルタ５０及び貯溜手段６２を設けても、また設けなくても利用可能である。図示しない別の例では、水遣り器１８を、水処理装置４２なしに構成し且つ作動させることができる。動作については、水を圧送し、水を保持してペットが飲むことのできる容器から移送する。ポンプ５６及び揚水管４４を使用すると、水は、揚水管４４をランプ２４とを接続する棚部２８により、揚水管４４からランプ２４上へ差し向けられる。
【００２５】
水遣り器１８の構成要素は、軽量の耐水性プラスチック材料を用いて構成し、最も好ましくは射出成形により形成する。容器６２は、好ましくは、水遣り器へ装着されている間も水位を見ることができるように、半透明または透明なプラスチック材料で吹込み成形及び製造されるのが好ましい。
【００２６】
本発明の他の実施例、変形例及び設計変更は、本明細書の記載から当業者であれば自明であろう。本発明の範囲は、本出願人が法的な保護を受ける頭書の特許請求の範囲の最も広い解釈によってのみ限定されると意図されている。
【図面の簡単な説明】
【図１】図１は、本発明の水遣り器の斜視図を示す。
【図２】図２は、本発明の水遣り器の展開図である。
【図３】図３は、下部容器及び湾曲したランプを示す斜視図である。
【図４】図４は、下部容器の平面図であり、湾曲したランプ、前部容器及び後部容器を詳細に示す。
【図５】図５は、水処理装置の平面図である。
【図６】図６は、水処理装置の斜視図である。
【図７】図７は、持運び可能な貯溜手段の斜視図である。
【図８】図８は、持運び可能な貯溜手段の立面図である。
【図９】図９は、キャップの螺設部を示す斜視図である。
【図１０】図１０は、図９の線１０−１０に沿う断面図である。
【図１１】図１１は、水遣り器の蓋の平面図である。
【図１】
0004166508.tif 000002
【図２】
0004166508.tif 000003
【図３】
0004166508.tif 000004
【図４】
0004166508.tif 000005
【図５】
0004166508.tif 000006
【図６】
0004166508.tif 000007
【図７】
0004166508.tif 000008
【図８】
0004166508.tif 000009
【図９】
0004166508.tif 000010
【図１０】
0004166508.tif 000011
【図１１】
0004166508.tif 000012